(57)【特許請求の範囲】
【請求項１】
少なくとも１つのデータパケット（１０４）によってデータ送信機により通信チャンネルを介して送信されたペイロードデータを受信するためのデータ受信機（１００）であって、
前記少なくとも１つのデータパケット（１０４）を受信するように構成されたデータパケットを受信するための手段（１０２）であって、前記少なくとも１つのデータパケット（１０４）は、チャンネルコード化されたペイロードデータ（１０８）および少なくとも１つのインジケータ（１１０）を含み、前記データパケットを受信するための手段（１０２）は、前記少なくとも１つのデータパケット（１０４）に対して、受信した前記チャンネルコード化されたペイロードデータ（１０８）および受信した前記少なくとも１つのインジケータ（１１０）を含む受信データ（１１２）を出力するように構成される、データパケットを受信するための手段（１０２）と、
前記受信データ（１１２）から、前記受信したチャンネルコード化されたペイロードデータ（１０８）および受信した前記少なくとも１つのインジケータ（１１０）を決定し、かつ、前記受信した少なくとも１つのデータパケット（１０４）の前記受信した少なくとも１つのインジケータ（１１０）を、データ送信機および前記データ受信機（１１０）に既知の、少なくとも１つの基準インジケータと比較し、なおかつ、前記受信した少なくとも１つのインジケータ（１１０）と前記少なくとも１つの基準インジケータとの間の比較に基づいて、前記受信した少なくとも１つのデータパケット（１０４）の前記受信したチャンネルコード化されたペイロードデータ（１０８）の少なくとも１つの干渉度合いを決定するように構成された、受信されたデータ（１１２）をさらに処理するための手段（１０６）とを含み、
前記受信データ（１１２）をさらに処理するための手段（１０６）は、復号化のために、決定された前記少なくとも１つの干渉度合いに基づいて、前記受信した少なくとも１つのデータパケット（１０４）の前記受信したチャンネルコード化されたペイロードデータ（１０８）を重み付けし、かつ、前記ペイロードデータを得るために、前記受信したチャンネルコード化されたペイロードデータ（１０８）の前記重み付けに依存してチャンネル復号化を実行するように構成され、
前記少なくとも１つのデータパケット（１０４）は、前記データパケット（１０４）において互いに間隔をおいて配置された少なくとも２つのインジケータ（１１０＿１：１１０＿３）を含み、
前記受信データ（１１２）をさらに処理するための手段（１０６）は、前記データパケット（１０４）の中の少なくとも２つの間隔をおいて配置されたインジケータ（１１０＿１：１１０＿３）のうちの１つに対して、より低い距離を持つ前記チャンネルコード化されたペイロードデータの部分の干渉の程度を、前記１つのインジケータ（１１０＿１）とそれぞれの前記基準インジケータとの比較に依存して、前記少なくとも１つのデータパケット（１０４）の中の前記インジケータ（１１０＿１）に対してより大きい距離を持つ前記ペイロードデータの部分より強く決定するように構成される、
データ受信機。
【請求項２】
前記データパケットを受信するための手段（１０２）は、既に決められたビットの形式で、前記受信データ（１１２）を出力するように構成される、請求項１に記載のデータ受信機（１００）。
【請求項３】
前記データパケットを受信するための手段（１０２）は、前記受信データ（１１２）の品質についての情報を出力しないように構成される、請求項１または請求項２に記載のデータ受信機（１００）。
【請求項４】
前記データパケット（１０４）を受信するための手段（１０２）は、前記少なくとも１つのデータパケット（１０４）を受信するためにでなく、前記少なくとも１つのインジケータ（１１０）を使うように構成される、請求項１ないし請求項３のいずれかに記載のデータ受信機（１００）。
【請求項５】
前記データパケット（１０４）は、制御データ領域（１１８）およびペイロードデータ領域（１１６）を含み、前記ペイロードデータ領域（１１６）は、データとして、前記チャンネルコード化されたペイロードデータ（１０８）および前記少なくとも１つのインジケータ（１１０）を含み、
前記データパケットを受信するための手段（１０２）は、受信データ（１１２）として、前記ペイロードデータ領域（１１６）に含まれたデータを出力するように構成される、請求項１ないし請求項４のいずれかに記載のデータ受信機（１００）。
【請求項６】
前記制御データ領域（１１８）は、同期シーケンスを含み、前記データパケットを受信するための手段（１０２）は、前記同期シーケンスを使って前記データパケット（１０４）の同期を実行するように構成される、請求項５に記載のデータ受信機（１００）。
【請求項７】
前記データパケットを受信するための手段（１０２）は、前記制御データ領域に含まれたデータを出力しないように構成される、請求項５または請求項６に記載のデータ受信機（１００）。
【請求項８】
前記少なくとも１つのインジケータ（１１０）は、少なくとも１つのインジケータシンボル（１１１＿１：１１１＿６）を含み、インジケータシンボル（１１１＿１：１１１＿６）は、前記少なくとも１つのデータパケット（１０４）を送信するために使われる変調方法のシンボルである、もしくは、それに相当する、請求項１ないし請求項７のいずれかに記載のデータ受信機（１００）。
【請求項９】
前記データパケット（１０４）を送信するために使われる前記変調方法の前記シンボルの最大３０％がインジケータシンボルであり、そのため、前記データ受信機（１００）は、前記インジケータシンボル（１１１＿１：１１１＿６）に基づいて、完全な同期もしくは周波数評価を実行できない、請求項８に記載のデータ受信機（１００）。
【請求項１０】
前記少なくとも１つのデータパケット（１０４）において、最大４つのインジケータシンボルが直に連続して配置され、そのため、前記データ受信機は、前記インジケータシンボルに基づいて、完全な同期もしくは周波数評価を実行できない、請求項８に記載のデータ受信機（１００）。
【請求項１１】
前記少なくとも１つのデータパケット（１０４）は、前記データパケット（１０４）において分散して配置されたいくつかのインジケータ（１１０＿１：１１０＿３）を含む、請求項１ないし請求項１０のいずれかに記載のデータ受信機（１００）。
【請求項１２】
前記受信データ（１１２）をさらに処理するための手段（１０６）は、前記少なくとも１つのインジケータ（１１０）が前記データパケット（１０４）の中に配置される配置を知っており、
前記受信データ（１１２）をさらに処理するための手段（１０６）は、前記既知の配置を使って、前記受信データ（１１２）から前記少なくとも１つのインジケータ（１１０）を決定するように構成される、請求項１ないし請求項１１のいずれかに記載のデータ受信機（１００）。
【請求項１３】
前記データ受信機（１００）は、前記少なくとも１つのインジケータ（１１０）および／または前記少なくとも１つのデータパケット（１０４）の到着時間を知る、請求項１ないし請求項１２のいずれかに記載のデータ受信機（１００）。
【請求項１４】
前記データ受信機（１００）または前記データ受信機（１００）のタイマーは、前記データパケット（１０４）の前記受信のために前記データパケットを受信するための手段（１０２）をアクティブ化させ、かつ、エネルギー節減のため、前記データパケットの受信後に前記データパケットを受信するための手段（１０２）を再び非アクティブ化するように構成される、請求項１３に記載のデータ受信機（１００）。
【請求項１５】
少なくとも２つのデータパケットに分割された前記ペイロードデータが、通信チャンネルを介して前記データ送信機により送信され、
前記受信データをさらに処理するための手段（１０６）は、前記受信したチャンネルコード化されたペイロードデータの結合によってチャンネル復号化のためのより高いコードゲインを得るために、前記少なくとも２つのデータパケットの前記受信したチャンネルコード化されたペイロードデータ（１０８）を結合するように構成される、請求項１ないし請求項１４のいずれかに記載のデータ受信機（１００）。
【請求項１６】
前記データ受信機（１００）は、チャンネル復号化のための十分なデータパケットを受信したとき、エネルギーを節減するために前記データパケットを受信するための手段（１０２）を非アクティブ化するように構成される、請求項１５に記載のデータ受信機（１００）。
【請求項１７】
前記データ受信機（１００）が、
ペイロードデータが一切送信されていない、または、
前記ペイロードデータが、前記データ受信機（１００）ではなく、異なるデータ受信機に向けられている、または、
チャンネル復号化のために必要とされる最低限の全体の安全性に達していない、と判断するとき、
前記データ受信機（１００）が、前記データ送信機により送信され少なくとも２つのデータパケットに分割されたペイロードデータの受信を繰り上げて終了するように構成される、請求項１５または請求項１６に記載のデータ受信機（１００）。
【請求項１８】
請求項１ないし請求項１７のいずれかに記載のデータ受信機（１００）と、
前記通信チャンネルを介して、前記チャンネルコード化されたペイロードデータ（１０８）を持つ前記データパケット（１０４）および前記少なくとも１つのインジケータ（１１０）を、前記データ受信機（１００）に送信するように構成されたデータ送信機（１６０）と、
を含むシステム（１８０）。
【請求項１９】
前記データ送信機（１６０）は、
前記チャンネルコード化されたペイロードデータを得るために、前記ペイロードデータをチャンネルコード化するように構成された、ペイロードデータをチャンネルコード化するための手段（１６２）と、
前記チャンネルコード化されたペイロードデータから前記少なくとも１つのデータパケット（１０４）を生成するように構成された、データパケットを生成するための手段（１６４）であって、ここで、前記データパケットを生成するための手段（１６４）は、前記チャンネルコード化されたペイロードデータ（１０８）を、前記データ送信機（１６０）および前記データ受信機（１００）に既知の前記少なくとも１つのインジケータ（１１０）と共に提供するように構成される、データパケットを生成するための手段（１６４）と、
前記少なくとも１つのデータパケット（１０４）を、前記通信チャンネルを介して前記データ受信機（１００）に送信するように構成される、データパケットを送信するための手段（１６６）と、を含む、請求項１８に記載のシステム。
【請求項２０】
前記データパケットを生成するための手段（１６４）は、異なってインターリーブされたチャンネルコード化されたペイロードデータの少なくとも２つの部分（１３０＿１：１３０＿２）を得るために、前記チャンネルコード化されたペイロードデータ（１０６）の少なくとも２つの異なる部分を少なくとも部分的にインターリーブするように構成され、
前記データパケットを生成するための手段（１６４）は、前記異なってインターリーブされたチャンネルコード化されたペイロードデータの少なくとも２つの部分（１３０＿１：１３０＿２）を、複数のデータパケット（１０４＿１：１０４＿９）に分割するように構成され、
前記データパケットを送信するための手段（１６６）は、前記複数のデータパケット（１０４＿１：１０４＿９）を送信するように構成される、請求項１８に記載のシステム。
【請求項２１】
少なくとも１つのデータパケットによってデータ送信機により通信チャンネルを介して送信されるペイロードデータを受信するための方法（３００）であって、前記方法は、
前記少なくとも１つのデータパケットを受信するステップ（３０２）であって、前記少なくとも１つのデータパケットは、チャンネルコード化されたペイロードデータおよび少なくとも１つのインジケータを含むステップと、
受信した少なくとも１つのデータパケットに対して、受信データを提供するステップ（３０４）であって、前記受信データは、受信したチャンネルコード化されたペイロードデータおよび受信した少なくとも１つのインジケータを含むステップと、
前記受信データから、前記受信したチャンネルコード化されたペイロードデータおよび前記受信した少なくとも１つのインジケータを決定するステップ（３０６）と、
前記少なくとも１つの受信したインジケータと少なくとも１つの基準インジケータとの間の比較に基づいて、前記受信した少なくとも１つのデータパケットの前記受信したチャンネルコード化されたペイロードデータの少なくとも１つの干渉度合いを決定するために、前記受信した少なくとも１つのデータパケットの前記受信した少なくとも１つのインジケータを、前記データ送信機とデータ受信機に既知の少なくとも１つの前記基準インジケータと比較するステップ（３０８）と、
決定された前記少なくとも１つの干渉度合いに基づいて、復号化のために、前記受信した少なくとも１つのデータパケットの前記受信したチャンネルコード化されたペイロードデータの重み付けをするステップ（３１０）と、
前記ペイロードデータを得るために、前記受信したチャンネルコード化されたペイロードデータの重み付けに依存して、チャンネル復号化を実行するステップ（３１２）と、
前記少なくとも１つのデータパケット（１０４）は、前記データパケット（１０４）において互いに間隔をおいて配置された少なくとも２つのインジケータ（１１０＿１：１１０＿３）を含み、
前記データパケット（１０４）の中の少なくとも２つの間隔をおいて配置されたインジケータ（１１０＿１：１１０＿３）のうちの１つに対して、より低い距離を持つ前記チャンネルコード化されたペイロードデータの部分の干渉の程度を、前記１つのインジケータ（１１０＿１）とそれぞれの前記基準インジケータとの比較に依存して、前記少なくとも１つのデータパケット（１０４）の中の前記インジケータ（１１０＿１）に対してより大きい距離を持つ前記ペイロードデータの部分より強く決定するステップを含む、方法。
【請求項２２】
請求項２１に記載の方法を実行するためのコンピュータプログラム。
【発明の詳細な説明】
【技術分野】
【０００１】
本発明の実施の形態は、ペイロードデータを受信するためのデータ受信機に関する、特に、簡素な受信機チップによって提供されるチャンネルコード化されたペイロードデータの重み付けに依存したチャンネル復号化を実行するデータ受信機に関する。別の実施の形態は、ペイロードデータを受信するための方法に関する。いくつかの実施の形態は、簡素な受信機のための無線送信方法に関する。
【背景技術】
【０００２】
ＤＥＣＴ（ＤＥＣＴ＝デジタル・エンハンスト・コードレス・テレコミュニケーション）およびＲＦＩＤ（ラジオ周波数識別）などのように、基地局とノードとの間のデータを送信するための異なる一方向システムおよび双方向システムが知られている。基地局が、参加者が同期する基準周波数および基準時間を特定することは、これらのシステムに対して特有である。例えば、ＲＦＩＤシステムにおいて、読み取り機は、その放出のすぐ後に続いて時間窓を特定する。その内において、ＲＦＩＤ応答機が、反応のための時間を任意に選ぶ。特定された時間間隔は、等しい長さの時間スロットに更に分割される。これは、スロットされたアロハ・プロトコルと呼ばれる。しかし、ＤＥＣＴにおいて、時間スロットは、固定されたグリッド内に提供される。ここで、基地局は、正確な時間スロットを、通信のために使う参加者に割り当てる。クオーツ許容誤差による不正確のため、緩衝時間が、電信が重ならないように、時間スロットの間で提供される。
【０００３】
特許文献１（独国特許ＤＥ  １０  ２０１１  ０８２  ０９８  Ｂ４）には、センサデータパケットを送信するためのバッテリーで操作される固定の送信機配置および方法が記載されている。センサデータパケットは、送信されるべき実際の情報より小さい幾つかのデータパケットに分割される（電信分割）。ここでは、電信は幾つかの部分的パケットに分割される。そのような部分的パケットはホップと称される。１つのホップにおいて、いくつかの情報シンボルが送信される。ホップは１つの周波数で、または幾つかに亘って分配された周波数（周波数ホッピング）で送信される。送信が一切起こらない破れが、ホップの間にある。
【先行技術文献】
【特許文献】
【０００４】
【特許文献１】独国特許ＤＥ  １０  ２０１１  ０８２  ０９８  Ｂ４
【発明の概要】
【発明が解決しようとする課題】
【０００５】
データの送信だけではなく、データの受信も、比較的高いエネルギー消費を伴うので、同じシステムが、データが基地局からノードに送信される逆の場合でも使われる。このシナリオにおいて、ノードは、定電流供給を持っていないけれども、ノードがエネルギーを環境（例えば温度差、日光、電磁波など）から取り出すエネルギー収穫を実行するので、または、送信のための特許文献１におけるように、バッテリーは、十分に長い時間期間に亘って受信機のために電流を提供することができない受信に応じて利用可能であるので、ノードのエネルギー消費も、低く維持されるべきである。
【０００６】
エネルギー消費を除いて、コストも、受信ノードを設計するときに、重要な基準である。そのため、たいてい、低い獲得コストを持ち、かつ、エネルギー効率がよい方法で動作する、非常に簡素なラジオチップ（受信機または送信機）が、これらのノードに見つけられる。しかし、それらの簡素構造のために、これらのラジオチップは、チャンネルまたは受信したデータの品質についての詳細な情報を決定する能力を欠く。また、そのようなラジオチップは、計算のために必要とされる情報を別のチップに供給するオプションを提供しない。さらに、外部のコントローラの中の正確なチャンネル分析も、重要なエネルギー消費を引き起こす。普通、これらの費用効果が高い受信機チップは、それらの出力で既に復調されたデジタルビットシーケンス（決められたビット）を提供する。
【０００７】
それゆえに、本発明の目的は、費用効果が高い受信機チップを使いながら、受信品質を改善する概念を提供することである。
【課題を解決するための手段】
【０００８】
この目的は独立請求項によって解決される。
【０００９】
有利な別の実施は、従属請求項において見つけられる。
【００１０】
本発明の実施の形態は、少なくとも１つのデータパケットによって、データ送信機により通信チャンネルを介して送信されたペイロードデータを受信するためのデータ受信機を提供する。データ受信機は、少なくとも１つのデータパケットを受信するように構成されるデータパケットを受信するための手段を含む。少なくとも１つのデータパケットは、チャンネルコード化されたペイロードデータおよび少なくとも１つのインジケータを含む。データパケットを受信するための手段は、受信した少なくとも１つのデータパケットに対して、受信したチャンネルコード化されたペイロードデータおよび受信した少なくとも１つのインジケータを含む受信データを出力するように構成される。さらに、データ受信機は、受信データから、受信したチャンネルコード化されたペイロードデータおよび受信した少なくとも１つのインジケータを決定するように、かつ、受信した少なくとも１つのデータパケットの受信した少なくとも１つのインジケータを、データ送信機とデータ受信機に既知の少なくとも１つの基準インジケータと比較し、かつ、受信した少なくとも１つのインジケータと少なくとも１つの基準インジケータとの間の比較に基づいて、受信した少なくとも１つのデータパケットの受信したチャンネルコード化されたペイロードデータの少なくとも１つの干渉度合いを決定するように構成される、受信データをさらに処理するための手段を含む。ここで、受信データをさらに処理するための手段が、復号化のために、決定された少なくとも１つの干渉度合いに基づいて、受信した少なくとも１つのデータパケットの受信したチャンネルコード化されたペイロードデータを重み付けるように、かつ、ペイロードデータを得るために、受信したチャンネルコード化されたペイロードデータの重み付けに依存してチャンネル復号化を実行するように構成される。
【００１１】
本発明は、データパケットに含められたペイロードデータに、少なくとも１つのインジケータをさらに提供するアイデアに基づいている。そのため、データパケット（例えば、簡素な費用効果が高いラジオチップ）を受信するための手段によって提供された、受信データ（例えば、すでに決められたビット）の１つの干渉度合いが、少なくとも１つのインジケータに基づいて決定される。そのため、干渉の決定された程度が、チャンネル復号化の効率を増大させるためのチャンネルコード化されたペイロードデータのチャンネル復号化の間に考慮される。
【００１２】
別の実施の形態は、データ受信機とデータ送信機とを含むシステムを提供する。データ受信機は、少なくとも１つのデータパケットを受信するように構成されるデータパケットを受信するための手段を含む。少なくとも１つのデータパケットは、チャンネルコード化されたペイロードデータおよび少なくとも１つのインジケータを含む。データパケットを受信するための手段が、受信した少なくとも１つのデータパケットに対して、受信したチャンネルコード化されたペイロードデータおよび受信した少なくとも１つのインジケータを含む受信データを出力するように構成されている。さらに、データ受信機は、受信データから、受信したチャンネルコード化されたペイロードデータおよび受信した少なくとも１つのインジケータを決定するように、かつ、受信した少なくとも１つのデータパケットの受信した少なくとも１つのインジケータを、データ送信機とデータ受信機に既知の少なくとも１つの基準インジケータと比較し、かつ、受信した少なくとも１つのインジケータと少なくとも１つの基準インジケータとの間の比較に基づいて、受信した少なくとも１つのデータパケットの受信したチャンネルコード化されたペイロードデータの少なくとも１つの干渉度合いを決定するように構成される、受信データをさらに処理するための手段を含む。ここで、受信データをさらに処理するための手段は、復号化のために、決定された少なくとも１つの干渉度合いに基づいて、受信した少なくとも１つのデータパケットの受信したチャンネルコード化されたペイロードデータを重み付けし、かつ、ペイロードデータを得るために、受信したチャンネルコード化されたペイロードデータの重み付けに依存してチャンネル復号化を実行するように構成される。データ送信機は、チャンネルコード化されたペイロードデータおよび少なくとも１つのインジケータを持つデータパケットを、通信チャンネルを介してデータ受信機に送信するように構成される。
【００１３】
別の実施の形態は、少なくとも１つのデータパケットによって、データ送信機により通信チャンネルを介して送信されるペイロードデータを受信するための方法を提供する。その方法は、
少なくとも１つのデータパケットを受信し、ここで、少なくとも１つのデータパケットは、チャンネルコード化されたペイロードデータおよび少なくとも１つのインジケータを含み、
受信した少なくとも１つのデータパケットのために、受信データを提供し、ここで、受信データは、受信したチャンネルコード化されたペイロードデータおよび受信した少なくとも１つのインジケータを含み、
受信データから、受信したチャンネルコード化されたペイロードデータおよび受信した少なくとも１つのインジケータを決定し、
受信した少なくとも１つのデータパケットの受信した少なくとも１つのインジケータを、受信した少なくとも１つのインジケータと少なくとも１つの基準インジケータとの間の比較に基づいて、受信した少なくとも１つのデータパケットの受信したチャンネルコード化されたペイロードデータの少なくとも１つの干渉度合いを決定するように、データ送信機とデータ受信機とに既知の少なくとも１つの基準インジケータに比較して、
復号化のために、決定された少なくとも１つの干渉度合いに基づいて、受信した少なくとも１つのデータパケットの受信したチャンネルコード化されたペイロードデータの重み付けをし、
ペイロードデータを得るために、受信したチャンネルコード化されたペイロードデータの重み付けに依存してチャンネル復号化を実行すること、を含む。
【００１４】
本発明の実施の形態は、付随する図面を参照して以下で説明される。
【図面の簡単な説明】
【００１５】
【図１】図１は、本発明の実施の形態に従うデータ受信機の模式ブロック図である。
【図２】図２は、本発明の別の実施の形態に従うデータ受信機の模式ブロック図である。
【図３ａ】図３ａは、本発明の実施の形態に従ってデータ送信機によって送信されたデータパケットの模式図である。
【図３ｂ】図３ｂは、本発明の実施の形態に従って、図３ａに示されたデータパケットが、壊れた通信チャンネルを介してデータ送信機によって送信されるとき、データ受信機によって受信したデータパケットのバージョンの模式図である。
【図３ｃ】図３ｃは、本発明の実施の形態に従って、図３ａに示されたデータパケットが、壊れた通信チャンネルを介してデータ送信機によって送信されるとき、データ受信機によって受信したデータパケットのバージョンの模式図である。
【図４】図４は、本発明の実施の形態に従うデータ送信機とデータ受信機を持つシステムの模式ブロック図である。
【図５】図５は、データパケットを送信する時のチャンネル活動性のダイヤグラム、および、データパケットを受信する時の受信機のエネルギー消費のダイヤグラムであり、それぞれ時間でプロットされたものである。
【図６】図６は、本発明の実施の形態に従うデータパケットを生成する方法の模式フローチャートである。
【図７】図７は、本発明の実施の形態に従って、少なくとも１つのデータパケットによってデータ送信機により通信チャンネルを介して送信されるペイロードデータを受信するための方法のフローチャートである。
【発明を実施するための形態】
【００１６】
本発明の実施の形態の以下の説明において、図面中の同じまたは等しい要素は、異なる実施の形態でそれらの説明が相互交換できるように、同じ符号が提供される。
【００１７】
図１は、本発明の実施の形態に従うデータ受信機１００の模式ブロック図を示す。データ受信機１００は、データパケット１０４を受信するための手段１０２と、受信されたデータのさらなる処理のための手段１０６とを含む。
【００１８】
データパケット１０４を受信するための手段１０２は、少なくとも１つのデータパケット１０４を受信するように構成される。少なくとも１つのデータパケット１０４は、チャンネルコード化されたペイロードデータ１０８および少なくとも１つのインジケータ１１０を含む。データパケット１０４を受信するための手段１０２は、受信した少なくとも１つのデータパケット１０４に対して、受信したチャンネルコード化されたペイロードデータ１０８および受信した少なくとも１つのインジケータ１１０を含む、受信データ１１２を出力するように構成される。
【００１９】
実施の形態において、データパケット１０４を受信するための手段１０２は、既に決められていたビットの形式で、受信データ１１２を出力するように構成される。さらに、データパケット１０４を受信するための手段１０２は、シンボルレベルでの受信データ１１２の品質についてどのような情報も出力できないように構成される（例えば、そのような簡素な方法で構造化される）。従って、シンボルレベル（データシンボルレベル）のどの品質評価も、データパケット１０４を受信するための手段１０２によって提供されたデータ／情報に基づいて可能ではない。さらに、データパケット１０４を受信するための手段は、受信したチャンネルコード化されたペイロードデータ１０８と受信した少なくとも１つのインジケータ１１０との間で区別できないように構成される（例えば、そのような簡素な方法で構造化される）。
【００２０】
例えば、データパケット１０４を受信するための手段１０２は、その出力において、既に決められたビット、または、既に復調されたデジタルビットシーケンス（決められたビット）の形式で、受信データ１１２を提供する、簡素なまたは費用効果が高い受信機チップ（または、送信機チップ）である。簡素な構造のため、受信機チップは、チャンネルまたは受信データ１１２の品質についての情報を決定する能力を欠いている。また、受信機チップは、別のチップに、チャンネルまたは受信データ１１２の品質を計算するために必要な情報を提供するオプションを提供しない。
【００２１】
受信データ１１２をさらに処理するための手段１０６は、受信データ１１２から、受信したチャンネルコード化されたペイロードデータ１０８および受信した少なくとも１つのインジケータ１１０を決定するように、かつ、受信した少なくとも１つのデータパケット１０４の受信した少なくとも１つのインジケータ１１０を、データ送信機とデータ受信機１００に既知の少なくとも１つの基準インジケータに比較するように、かつ、受信した少なくとも１つのインジケータ１１０と少なくとも１つの基準インジケータとの間の比較に基づいて、少なくとも１つのデータパケット１０４の受信したチャンネルコード化されたペイロードデータ１０８の少なくとも１つの干渉度合いを決定するように構成される。
【００２２】
ここで、受信データ１１２をさらに処理するための手段１０６は、復号化のために決定された少なくとも１つの干渉度合いに基づいて、受信した少なくとも１つのデータパケット１０４の受信したチャンネルコード化されたペイロードデータ１０８を重み付けするように、かつ、ペイロードデータを得るために、受信したチャンネルコード化されたペイロードデータ１０８の重み付けに依存してチャンネル復号化を実行するように構成される。
【００２３】
従って、実施の形態において、受信データ１１２をさらに処理するための手段１０６は、受信したチャンネルコード化されたペイロードデータのチャンネル復号化の前にさえ、受信した少なくとも１つのインジケータ１１０に基づいて、受信したチャンネルコード化されたペイロードデータ１０８の干渉の程度を決定でき、そして、チャンネルが受信したチャンネルコード化されたペイロードデータを復号化するときには、干渉の決定された程度を考慮できる。受信したチャンネルコード化されたペイロードデータの干渉の程度が、チャンネルが受信したチャンネルコード化されたペイロードデータを復号化するときに考慮されるという事実のため、復号化品質（チャンネル復号化）が改善される。
【００２４】
図２は、本発明の別の実施の形態に従うデータ受信機１００の模式ブロック図を示す。データ受信機１００は、データパケット１０４を受信するための手段１０２と、受信データ１１２をさらに処理するための手段１０６とを含む。
【００２５】
既に上述しかつ図２に示すように、データパケット１０４を受信するための手段１０２は、（簡素で、費用効果が高い）受信機チップ（例えばＩＣ（ＩＣ＝集積回路））である。一方、受信データ１１２をさらに処理するための手段１０６は、デコーダまたはチャンネルデコーダ（例えばμＣ（μＣ＝マイクロコントローラ））である。
【００２６】
図２においてさらに示されるように、データパケット１０４は、ペイロードデータ領域１１６と、任意で制御データ領域１１８とを含む。制御データ領域は、必ずしもデータパケット１０４の最初になくてもよく、どのような位置にも置くことができる。
【００２７】
例えば、制御データ領域１１８は、同期シーケンス（または前文）を含むことができる。データパケット１０４を受信するための手段１０２は、同期シーケンス１１９を使用して、データパケット１０４の同期（または、周波数推定）を実行するように構成される。明らかに、データパケット１０４を受信するための手段１０２は、また、制御データ領域１１８無しで、すなわち同期シーケンス１１９無しで、データパケット１０４を受信するように構成される。例えば、データパケット１０４の到着の時間は、データ受信機１００に知られる。それゆえ、データ受信機１００は、知られた時間に、受信データストリームからデータパケット１０４を決定することができる。
【００２８】
さらに、制御データ領域１１８は、前文を含むことができる。ここでは、データパケット１０４を受信するための手段１０２は、制御データ領域１１８に含まれたデータを出力しないように構成される。
【００２９】
ペイロードデータ領域１１６は、データとしてペイロードデータ１０８および少なくとも１つのインジケータ１１０を含むことができる。ここでは、データパケット１０４を受信するための手段１０２は、受信データ１１２として、ペイロードデータ領域１１６に含まれたデータを出力するように構成される（それぞれ、既に決められたビット形式で、かつ、復調されたビットシーケンスとして）。
【００３０】
従って、データパケット１０４に含まれた少なくとも１つのインジケータ１１０は、受信データ１１２として、ペイロードデータ１０８とだけ一緒に、データパケット１０４を受信するための手段１０２により出力され、そして、データパケット１０４を受信するために、例えば、少なくとも１つのインジケータ１１０に基づいて、または、少なくとも１つのインジケータ１１０を使って、（データパケット１０４の）同期を実行するために使用されない。データパケット１０４が、同期シーケンス１１９を持つ任意の制御データ領域１１８を含む限り、データパケット１０４を受信するための手段１０２は、例えば制御データ領域１１８に含まれた同期シーケンス１１９を使うことによって、データパケット１０４の同期に対して、データパケット１０４を受信するために制御データ領域１１８を使うことができる。しかし、データパケットを受信するための手段１０２は、受信データ１１２をさらに処理するための手段１０６が、受信データ１１２の品質においてデータパケットを受信するための手段１０２から何の情報も得られないように、同期シーケンス１１９を（または、制御データ領域に含まれたどのような他の情報も）出力しない。
【００３１】
むしろ、受信データ１１２をさらに処理するための手段１０６は、既に上述したように、受信した少なくとも１つのインジケータ１１０に基づいて、受信したチャンネルコード化されたペイロードデータ１０８を復号化する前に、受信したチャンネルコード化されたペイロードデータ１０８の干渉の程度を決定し、そして、受信したチャンネルコード化されたペイロードデータを復号化するときに、干渉の決定された程度を使用する。例えば、受信データ１１２をさらに処理するための手段１０６は、受信した少なくとも１つのインジケータ１１０に基づいて、干渉評価１２０とチャンネル復号化１２２とを実行するように構成される。
【００３２】
受信したチャンネルコード化されたペイロードデータを復号化するとき、受信したチャンネルコード化されたペイロードデータの干渉の程度が考慮されるという事実のため、以下で説明されるように、復号化品質（チャンネル復号化）が改善できる。
【００３３】
エラー保護コードのために、強く受信されたシンボルが壊れるか否か、および、どのように壊れるか、が知られる時は非常に有利である。（注：これまでに未刊行である、同封された書面を参照）。シンボルの壊れた情報を削除することは、それを使うより（ずっと）よい。通信工学では、情報の安全性を示す対数尤度比（ＬｏｇＬｉｋｅｌｉｈｏｏｄＲａｔｉｏｓ）の記載がある。
【００３４】
コンボルーションコード、リード−ソロモンコードまたはターボコードなどのエラー保護コードは、干渉または破壊が存在したことが知られない壊れたシンボル場合と比較して、どんなシンボルが壊れるか、または、故障であるかが知られるときに、大量の消失したまたは悪いシンボルによって受信パケットを復元できる。
【００３５】
受信された情報がどれほど安全であるかを決定するために、インジケータ１１０が、実施の形態においてデータパケット１０４に追加できる。ここで、インジケータ１００は、単一のまたはいくつかのインジケータシンボルから成る。データパケット（またはホップ）１０４の中のインジケータおよびそれらの分配は、通信に先がけて送信機および受信機に知られる。
【００３６】
個々のインジケータシンボルは、使用された変調方法のシンボルに対応することができる。データ受信機１００は、インジケータ１１０の受信されたシンボルを、予期されるパターンに比較することができ、そして、その差に基づいて、受信されたデータパケット（ホップ）および部分的データパケット（ホップの一部）の品質を決定できる。これらの品質評価のために、インジケータシンボルおよびそれらの分配の選択は、（大きな）重要性を持つ。
【００３７】
インジケータ１１０の最適な分配は、主に、予期される干渉、必要とされる受信安全性だけでなく安全性決定のために使われたアルゴリズムの長さに基づく。インジケータ１１０を構造化するときには、決められた復調されたシンボルだけを戻す簡素な受信チップ１０２のために、幾つかの次元の干渉を検出することは、別の方法では可能ではないので、インジケータシンボルとして異なる変調シンボルを選ぶことは有利である。
【００３８】
これの簡単な説明は２進振幅変調である。仮に高いレベルのみがインジケータシンボルとして使われるならば、インジケータシンボルは、いつも一定の大声の干渉を持って正しく受信されて、インジケータ１１０は間違いがないとして宣言される。それによって、情報シンボルに出現する低いレベルは、高いレベルと同じ壊れた態様で受信されるけれども、受信されたシンボルの信頼性は高いと仮定される。
【００３９】
図３ａは、データ送信機により送信されたデータパケット１０４の模式図を示す。図３ａに示されるように、データパケット１０４は、それらの時間的な発生に応じて、データパケット１０４の中に分配された態様で配置される、いくつかのインジケータ１１０を含む。ここで、インジケータ１１０は、少なくとも１つのインジケータシンボル１１１を含むことができる。１つのインジケータシンボル１１１は、少なくとも１つのデータパケット１０４を送信するために使われた変調方法の１つのシンボルである、または、それに対応する。
【００４０】
既に言及したように、インジケータ１１０は、データパケットを受信するための手段１０２によって、同期または周波数推定のために使用されるだけでなく、その後にチャンネル復号化の中で考慮されるデータパケット１０４に含まれたチャンネルコード化されたペイロードデータの干渉の程度を決定するために、受信データ１１２をさらに処理するための手段１０６によっても使用される。従って、データパケット１０４を送信するために使われる変調方法のシンボルの３０％以下が、インジケータシンボルであるときは、十分である。さらに、データパケット１０４において、最大４つのインジケータシンボルが、それらの時間的な発生に応じて、直に連続した態様で配置されるときは十分である。
【００４１】
図３ａにおいて示されたデータパケット１０４は、３つのインジケータ１１０＿１から１１０＿３を例示的に含む。インジケータ１１０＿１から１１０＿３は、分配された態様でデータパケット１０４の中に配置される。ペイロードデータ１１４＿１の第１のブロックは、第１のインジケータ１１０＿１と第２のインジケータ１１０＿２との間に配置される。一方、ペイロードデータ１１４＿２の第２のブロックは、第２のインジケータ１１０＿２と第３のインジケータ１１０＿３との間に配置される。さらに、３つのインジケータ１１０＿１から１１０＿３のうち第１のインジケータ１１０＿１は、２つのインジケータシンボル１１１＿１および１１１＿２から成る。３つのインジケータ１１０＿１から１１０＿３のうち第２のインジケータ１１０＿２は、３つのインジケータシンボル１１１＿３から１１１＿５から成る。３つのインジケータ１１０＿１から１１０＿３のうち第３のインジケータ１１０＿３は、インジケータシンボル１１１＿６から成る。
【００４２】
すなわち図３ａは、２進変調が使われるとき、どのようにデータパケット（ホップ）１０４がインジケータ１１０で構造化されるかを示す。インジケータ１１０＿１から１１０＿３は、データパケット（ホップ）１０４の初めと終わりに、必ずしも置かれないことに注目するべきである。インジケータの最適な位置、長さおよび数は、いつも、システムにより与えられた外部パラメータについて最適化することの主要物である。
【００４３】
図３ｂは、図３ａにおいて示されたデータパケット１０４が、壊れた通信チャンネルを介してデータ送信機により送信されるとき、データ受信機１００により受信したデータパケット１０４のバージョンの模式図を示す。図３ｂに示すように、第１のインジケータ１１０＿１の第２のインジケータシンボル１１１＿２は壊れている。
【００４４】
受信データ１１２をさらに処理するための手段１０６は、受信したインジケータ１１０＿１から１１０＿３を基準インジケータと比較し、かつ、その比較に基づいて、受信したチャンネルコード化されたペイロードデータの干渉の程度を決定するように、かつ、復号化のために、干渉の決定された程度に基づいて、受信したチャンネルコード化されたペイロードデータを重み付けするように構成される。
【００４５】
図３ａおよび図３ｂにおいて示された場合において、インジケータ１１０＿１から１１０＿３の間の比較は、従って、第１のインジケータ１１０＿１の第２のインジケータシンボル１１１＿２が壊れるという事実を生じる。一方、他のインジケータシンボルは壊されない。
【００４６】
実施の形態によると、受信データ１１２をさらに処理するための手段１０６は、例えば、インジケータの間に（それぞれ）配置されるペイロードデータのための１つ（単一）の干渉度合いの比較に基づいて決定される。干渉の程度が、例えば２つの異なる値、例えば壊れた、および、壊れないと仮定することができる。その後のチャンネル復号化において、壊れないペイロードデータは、壊れたペイロードデータより強く重み付けされる。例えば、チャンネル復号化において、壊れないペイロードデータだけが考慮され、一方、壊れたペイロードデータは削除される。明らかに、他の重み付け係数が使われる。例えば、壊れないペイロードデータは、１より小さい（例えば０．８）ファクターでチャンネル復号化の中に組み入れられる。一方、壊れたペイロードデータは、０より大きい（例えば０．２）ファクターでチャンネル復号化の中に組み入れられる。１のファクターは、個々のペイロードデータを完全に考慮することに対応する。０のファクターは、個々のペイロードデータを捨てることに対応する。
【００４７】
図３ａおよび図３ｂにおいて示された場合において、受信データ１１２をさらに処理するための手段１０６は、例えば、ペイロードデータ１１４＿２の第２のブロックだけが、チャンネル復号化において考慮され、一方、ペイロードデータ１１４＿１の第１のブロックが捨てられるように、第１のインジケータ１１０＿１と第２のインジケータ１１０＿２との間のペイロードデータ１１４＿１の第１のブロックが壊れることを決定し、一方、第２のインジケータ１１０＿２と第３のインジケータ１１０＿３との間のペイロードデータ１１４＿２の第２のブロックが壊れないことを決定する。
【００４８】
データパケット（ホップ）１０４を受信した後に、受信したペイロードデータシンボルは、それゆえ、受信したインジケータ１１０＿１から１１０＿３の中のエラーに基づいて評価される。個々のシンボルの正しい受信の安全性は、データがチャンネル復号化に転送される前に定義される。従って、インジケータ１１０は、チャンネルコード化の一部ではない。安全性を重み付けすることは、簡素なまたは複雑な態様で恣意的に設計される。
【００４９】
そのような方法のための簡単な例として、「壊れない−与えられた安全性」と「壊れた−非安全性」との間の差が使用される。ここでは、シンボルは、隣接したインジケータに基づいて個々のカテゴリーの中に分類される（図３ｂ参照）。
【００５０】
仮にこの方法がまた、最も短い予期される干渉を検出するために用いられるならば、インジケータ１１０＿１から１１０＿３は壊れることなく送信されることが、別の方法で生じるので、２つのインジケータの間の期間は、この干渉より長いだけでなく、インジケータ１１０＿１から１１０＿３の間の情報シンボル１１４＿１および１１４＿２は壊れる。従って、シンボルの重み付けは、エラー保護コードの性能に不利に影響する。
【００５１】
図３ｃは、図３ａにおいて示されたデータパケットが、壊れた通信チャンネルを介してデータ送信機により送信されるとき、データ受信機１００により受信したデータパケット１１４のバージョンの模式図を示す。図３ｂにおけるように、第１のインジケータ１１０＿１の第２のインジケータシンボル１１１＿２も、壊れている。
【００５２】
この実施の形態において、受信データ１１２をさらに処理するための手段１０６は、データパケット１０４において、１つのインジケータと個々の基準インジケータとの比較に依存して、少なくとも１つのデータパケットの中の１つのインジケータに対して、より大きな（一時的）距離を持つペイロードデータの部分より強い、少なくとも２つの間隔をおいて配置されたインジケータのうちの１つに対して、より低い（一時的）距離を持つペイロードデータの部分の干渉の程度を決定するように構成される。
【００５３】
図３ａおよび図３ｃに示された場合において、インジケータ１１０＿１から１１０＿３の間の比較は、それぞれ、第１のインジケータ１１０＿１の第２のインジケータシンボル１１１＿２が壊れる一方、他のインジケータシンボルが壊れないという事実を結果として生じる。
【００５４】
従って、受信データ１１２をさらに処理するための手段１０６は、壊れた第１のインジケータ１１０＿１に対して一時的に低い距離を持つペイロードデータシンボル（例えば、ペイロードデータシンボル１１５＿１）に対して、壊れた第１のインジケータ１１０＿１に対して一時的により高い距離および壊れない第２のインジケータ１１０＿２に対して一時的により低い距離を持つペイロードデータシンボル（例えばペイロードデータシンボル１１５＿４または１１５＿７または１１４＿１０に対してより高い程度の干渉を決定する。
【００５５】
（例えばペイロードデータシンボル１１５＿１０に対して）低水準から（例えばペイロードデータシンボル１１５＿１に対して）高水準へのペイロードデータシンボルの干渉の異なる程度は、図３ｃにおいて異なる色／陰影によって説明される。
【００５６】
図３ｃに示されるように、受信データ１１２をさらに処理のための手段１０６は、インジケータに基づいて、いくつかの（少なくとも３つの）異なる程度の干渉を決定するように構成される。さらに、受信データをさらに処理するための手段１０６は、いくつかの異なる程度の干渉に基づいて、いくつかの（少なくとも３つの）の異なる重み付け段階または重み付け係数を決定するように構成される。
【００５７】
すなわち、より複雑な方法が、インジケータの中のエラーパターンを分析し、その上に基づいて個々のペイロードシンボルの安全性を個々に適応できる。仮にインジケータが壊れ、その後のインジケータが壊れないならば、ペイロードシンボルの安全性は、例えば、壊れたインジケータに対してその一時的な近接に基づいて決定される（図３参照）。この方法のため、ことによると壊れるシンボルは既に低い安全性が割り当てられているので、最も短い干渉が検出されるように、お互いに接近してインジケータを置くことは必要ない。インジケータの最適な長さと分配は、与えられたシナリオに特に適応する最適化問題である。
【００５８】
仮に受信機が、例えばチェック・サムを分析することによって、最適化にもかかわらず高いエラー率が起こることを決定するならば、シンボルを重み付けするための機能を順応して適応させる。これは、受信ノードが、送信をその実際の環境に適応することを可能にする。
【００５９】
仮に受信チップが、ホップ（例えばＲＳＳＩ測定（ＲＳＳＩ＝受信された信号強度指標）を介して）の受信された信号パワーを決定する選択肢を持つならば、それ（ホップの受信された信号パワー）は記録されて、１つまたはいくつかのメッセージを横切るパワーのコースが記憶される。受信パワーが前の測定からかなり逸脱するホップにおいて、干渉がアクティブであることか、または、信号が減衰されて、それに応じて、このホップの受信されたシンボルの正確さの安全性が訂正されることはありそうである。
【００６０】
従って、図３ａから図３ｃは、異なる長さの３つのインジケータを持つデータパケット、および、壊れたチャンネルを介した送信の前（図３ａ）および後（図３ｂおよび図３ｃ）の２つのペイロードデータブロック１１４＿１（Ｎ1）および１１４＿２（Ｎ2）の中のペイロードシンボルｎを示す。図３ｂにおいて、インジケータ１１０＿１（Ｉ1）が壊れるので、１１４＿１（Ｎ1）は壊れるとしてマークされる。一方、１１０＿２（Ｉ2）と１１０＿３（Ｉ3）とは壊れないので、１１４＿２（Ｎ2）は壊れないとしてマークされる。図３ｃにおいて、開始が、壊れたインジケータ１１０＿１（Ｉ3）により近いので、１１４＿１（Ｎ1）の開始は低い安全性を持つ。しかし、終わりが、壊れたインジケータ１１０＿２（Ｉ2）により近いので、１１４＿１（Ｎ1）の終わりは、より高い安全性を持つ。１１４＿２（Ｎ2）のセンターは、壊れないインジケータ１１０＿２（Ｉ2）および１１０＿２（Ｉ3）に対して、より大きい距離のため低い安全性を持つ。
【００６１】
図４は、本発明の実施の形態に従って、データ送信機１６０および上で説明されたデータ受信機１００をもつシステム１８０の模式ブロック図を示す。
【００６２】
データ送信機１６０は、チャンネルコード化されたペイロードデータ１０８および少なくとも１つのインジケータ１１０を持つデータパケット１０４を、通信チャンネルを介してデータ受信機１００に送信するように構成される。
【００６３】
詳細には、データ送信機１６０は、チャンネルコード化されたペイロードデータを得るために、ペイロードデータをチャンネルコード化するように構成される、ペイロードデータをチャンネルコード化するための手段１６２を含む。さらに、データ送信機１６０は、チャンネルコード化されたペイロードデータから少なくとも１つのデータパケット（例えば、パケット分割方法の中の少なくとも２つのデータパケット）を生成するように構成される、データパケットを生成するための手段１６４を含む。データパケットを生成するための手段１６４は、データ送信機１６０およびデータ受信機１００に既知の少なくとも１つのインジケータを持つ（データパケットの中の）チャンネルコード化されたペイロードデータを提供するように構成される。さらに、データ送信機１６０は、通信チャンネルを介して少なくとも１つのデータパケット１０４をデータ受信機１００に送信するように構成される、データパケットを送信するための手段１６６を含む。
【００６４】
実施の形態において、例えば、データ送信機１６０は、基地局である。一方、データ受信機１００はノードである。明らかに、データ送信機１６０はノードであってもよいし、データ受信機１００は基地局であってもよい。
【００６５】
以下において、エネルギー消費を最小化するための実施の形態が説明される。
【００６６】
電流消費を最小化するために、接続の頑丈さを増大させることを除いて、決められた周波数で決められた時間での送信が使われる。従って、受信機１００が、アクティブ受信モードにおいてできる限り簡単に受信チップ１０２を操作することが可能であり、そして、アクティブなタイマーまたはアクティブ化したリアルタイム・クロックで（低いパワーモードを）保証される固定された時間で起きる限り全ての他の要素を非アクティブ化することも可能である（図５参照）。
【００６７】
詳細には、図５は、データパケット（ホップ）１０４を送信する時のチャンネルアクティブ性のダイヤグラム、および、データパケット１０４を受信する時の受信機１００のエネルギー消費のダイヤグラムであり、それぞれ時間でプロットされたものである。
【００６８】
図５に示すように、データ受信機１００は、ラジオチップ１０２とコントローラ１０６との両方が非アクティブ化（スイッチオフ）される第１の時間（データパケットの受信前）に、第１の操作モード（または作動状態）にある。第２の時間に、データ受信機１００は、コントローラ１０６が待機モードにある第２の操作モードにある一方、ラジオチップ１０２は非アクティブ化される。（第２の時間と一致することができる）第３の時間に、データ受信機１００は、コントローラ１０６がアクティブ化される第３の操作モードにある一方、ラジオチップ１０２は非アクティブ化される。第４の時間に、データ受信機１００は、コントローラ１０６がアクティブ的である第４の操作モードにある一方、ラジオチップ１０２は待機している。第５の時間（データパケットを受信する時間）に、データ受信機１００は、コントローラ１０６がアクティブ的であり、かつ、ラジオチップ１０２がデータパケット１０４を受信する第５の操作モードにある。
【００６９】
第６の時間（データパケット１０４を受信した後）に、データ受信機１００は、第４の操作モードにある。（第６の時間と一致することができる、すなわち第４の操作モードが省略される）第７の時間に、データ受信機１００は、第３の操作モードにある。第８の時間に、データ受信機は、第２の操作モードにある。（第８の時間と一致することができる、すなわち第２の操作モードが省略される）第９の時間に、データ受信機は、第１の操作モードにある。
【００７０】
すなわち、図５は、データパケット（ホップ）１０４を受信する時に、受信ノード１００の可能なモードの例示的な課程を示す。リアルタイム・クロックは、ラジオチップ１０２を予め決められた時間に受信に切り替えるための正確な時間に、コントローラ１０６を起こすことができる。受信されたシンボルを処理するための受信の後のコントローラ１０６の活動。
【００７１】
受信機１００が同期無しでメッセージの正確な時間に行き当たることができるように、送信方法のシンボルレート（送信速度）は、信号のランタイムが個々のシンボルの送信期間と比較して無視続けることができるように低く選ばれる。これは、システムの可能な範囲はシンボルレートを介して影響される、という文脈を結果として生じる。メッセージの正確な到着時間を決定するために、種々の可能性がある。例示的に、ここに、いくつかの方法が挙げられるけれども、これを得る他の方法も可能である。第１の方法は絶対の時間である：予め決められた時間に、毎日メッセージを受信する。送信機および受信機の正確なおよび同期的な時計を要求する。第２の方法は外部事象である：送信機と受信機とにより等しく気づかれて、ノードでの時間ｔ＋？ｔ、？ｔ≧０にメッセージの受信の引き金となる、時間ｔでの影響（光インパルス、ノイズ、電波など）。第３の方法は明示的な要求である：ノードは、メッセージを待っているとき、メッセージを送信する選択肢を自身で持ち、基地局を明示的に届け出る。第４の方法は暗黙の要求である：ノード自身はデータを規則的に送信する。送信されたメッセージの予め決められた数の後に、ノードは基地局からのメッセージを予期する。自身のメッセージを送信することおよび基地局からのメッセージを受信することの時間差は事前に決定される。
【００７２】
仮に時間が正確には予測できないならば、時間はインジケータの助けによってより正確に決定される。しかし、検出のための特定の前文は、挿入される必要がない。受信機は、受信されるべき電信のために継続して検索する必要がない。
【００７３】
仮に電信のリアルタイムの復号化のための受信機１００の中に十分な計算パワーがないならば、受信値または部分的に復調された受信値はキャッシュ（貯蔵）される。
【００７４】
個々のノードの反応に対して、追加の前文シンボルによってオーバーヘッドが減少すること、および、必要とされるチャンネル使用期間が結果としてより短くなることは、チャンネルの同じ全体の使用期間を持つアドレスされたノードの数の増加をさらに許す、または、一定のノード番号を持つ同じ周波数帯域の他のシステムの干渉を減らすことをさらに許す。
【００７５】
実施の形態において、ペイロードデータは、データ送信機によって、通信チャンネルを介して送信され、少なくとも２つのデータパケットに分割される。ここでは、受信データ１１２をさらに処理するための手段１０６は、受信したチャンネルコード化されたペイロードデータを結合することによってチャンネル復号化のためのより高いコードゲインを得るために、少なくとも２つのデータパケットの受信したチャンネルコード化されたペイロードデータを結合するように構成される。
【００７６】
使用された電信分割方法のため、電流を、直接的ではなく、一時的なエネルギー貯蔵（キャパシター）を介して、受信機１００に供給できるエネルギー収穫手段またはバッテリーによって、受信機ノード１００を操作することが可能である。これは、メッセージが全体として受信されるだけでなく、（いくつか（少なくとも２つ）のデータパケットを横切って分割された）個々の部分でも受信されるので、可能である。これは、受信機１００が、データパケット（ホップ）１０４の間に、そのエネルギー供給を再チャージし、より一層の受信を可能にすることを許す。データ受信機（ノード）１００およびそれらのエネルギー供給の特定の要件を適応させるために、全体のメッセージの受信が特定の見込みによって保証されるように、データパケット（ホップ）１０４の時系列を最適化することが可能である。さらに、受信機１００は、それがデータパケット（ホップ）１０４を受信するか否かを、その入手可能なエネルギーに基づいて決めることができる。仮にそれが既に大きな量のデータパケットを選んでいたならば、再び最初にエネルギーを収集するために、データパケット１０４を省略することが、エネルギーに関してより好ましい。
【００７７】
送信期間をさらに短縮するために、検出および周波数評価のための全てのシンボルが省略される。これは、送信機１６０が、受信機１００の送信時間と送信周波数とに正確に行き当たるために、対応して強力なハードウェアを持つ時には可能である。
【００７８】
データ受信機（ノード）１００の中の特に好ましいコンポーネントを使うことによって、受信周波数の正確な調整がいつも可能であるわけではない（クウォーツの不正確と老朽化）。データ受信機（ノード）の本当の受信周波数が、調整された周波数からあまりにも強く逸脱するという事実のために、送信機１６０は、本当の受信周波数で送信するために、本当の受信周波数を決めることができる。
【００７９】
このために、データ受信機（受信ノード）１００は、メッセージを受信する前に、以前に定義された周波数で既にメッセージを基地局に送信することができる。そして、パケット１０４は、この周波数で戻される（独国特許ＤＥ  １０  ２０１１  ０８２  １００  Ａ１参照）。
【００８０】
データ受信機（ノード）１００は、メッセージが一切送信されていないと決める時には、エネルギー消費を減らすための別の手段が、メッセージの受信を尚早に終わらせることによって生じる。メッセージは彼を目指すものではない、または、最後のデータパケット（ホップ）１００を受信する前に、予め決められた最小の全体の安全性を既に下回っている。後者の場合において、受信したデータパケット（ホップ）１００は、既に非常に強く壊れているので、成功した復号化はありそうにないとして分類され、従って、残留データパケット（ホップ）１００の受信および復号化が、エネルギー節減のため一時中断され、受信機は非常に低いエネルギー消費を持つモードに置かれる。
【００８１】
この方法の拡張は、電流消費において、チャンネルコード化されたペイロードデータシンボルの個々の分配によって、さらに抑制することを許す。従って、ペイロードデータシンボルは、既に全体のメッセージを受信した後に、ペイロードデータシンボルの個々の安全性によって、復号化プロセスが開始されるように、メッセージ内で分配される。仮に復号化プロセスが成功するならば、もはやペイロードデータの残りを受信する必要はなく、データ受信機（ノード）１００は、図６を参照して以下で議論するように、より短い時間期間のために高電流消費を持つアクティブ受信モードに残留する必要がある。
【００８２】
図６は、本発明の実施の形態に従ってデータパケット１０４を生成する方法２００の模式フローチャートを示す。すなわち、図６は、メッセージの一部の成功した受信の後に復号化することを許すためのチャンネルコード化されたシンボルの例示的な区分を示す。
【００８３】
第１のステップ２０２において、ペイロードデータ１０９は、チャンネルコード化されたペイロードデータ１０８を得るために、（例えば１／３のコード転送速度によって）チャンネルコード化される。例えば、チャンネルコード化されたペイロードデータ１０８は、チャンネルコード化されたペイロードデータの少なくとも３つの多項式１０８＿１から１０８＿３を含む。
【００８４】
第２のステップ２０４において、チャンネルコード化されたペイロードデータ１０８は、異なってインターリーブされたチャンネルコード化されたペイロードデータの少なくとも２つの部分１３０＿１および１３０＿２を得るために、少なくとも部分的にインターリーブされる。例えば、チャンネルコード化されたペイロードデータの少なくとも３つの多項式１０８＿１から１０８＿３は、異なってインターリーブさたチャンネルコード化されたペイロードデータの少なくとも２つの部分１３０＿１および１３０＿２を得るために、インターリーバ（インターリーブするための手段）に供給される。図６に示すように、チャンネルコード化されたペイロードデータの第１の多項式１０８＿１および第２の多項式１０８＿２は、異なってインターリーブされたチャンネルコード化されたペイロードデータの第１の部分１３０＿１を得るために、お互いに（完全に）インターリーブされる。一方、第３の多項式１０８＿３は、異なってインターリーブされたチャンネルコード化されたペイロードデータの第２の部分１３０＿２を得るためにインターリーブされない。
【００８５】
第３のステップ２０６において、異なってインターリーブされたチャンネルコード化されたペイロードデータの少なくとも２つの部分１３０＿１および１３０＿２は、複数のデータパケット１０４＿１から１０４＿９に分割される。例えば、インターリーブされたチャンネルコード化されたペイロードデータの第１の部分１３０＿１は、１０４＿１（Ｈ1）から１０４＿６（Ｈ6）までの６つのデータパケットに分割される。一方、（インターリーブされた）チャンネルコード化されたペイロードデータの第２の部分１３０＿２は、１０４＿７（Ｈ7）から１０４＿９（Ｈ9）までの３つのデータパケットに分割される。
【００８６】
上で説明した方法は、例えば、データ送信機１６０（または、データ送信機１６０のデータパケットを生成するための手段１６４）によって実行される。
【００８７】
図６は、第１の部分１３０＿１の全てのデータパケット（ホップ）１０４＿１（Ｈ1）から１０４＿６（Ｈ6）までのデータを収集し、第１の復号化の試みを開始することが十分であることを一例として示す。仮にデータパケット（ホップ）１０４＿１（Ｈ1）から１０４＿６（Ｈ6）までの品質が十分であり、復号化が成功するならば、失ったデータパケット（ホップ）１０４＿７（Ｈ7）から１０４＿９（Ｈ9）までを受信することは必要ない。
【００８８】
以下において、本発明の実施の形態によって発生した改良と利点とが説明される。
【００８９】
電信分割によって、一時的なエネルギー貯蔵を介して操作される受信機１００は、より長い電信を大体において受信する。従って、与えられた情報量を持つより高い送信範囲、および、与えられた送信範囲を持つより高い情報量が、それぞれ得られる。
【００９０】
他のラジオ参加者による送信の干渉の間、簡素な受信チップの制限にもかかわらず、データ受信機１００は、基地局から簡素な受信ノードに頑強なデータ通信を許す。
【００９１】
受信期間の減少およびシンボル安全性を評価することの簡素によって、電流消費は更に減らされる。仮に電信が一切送信されていなかったならば、受信の終了は早くなる。仮に電信が送信されたならば、電信が既にデータサブセットによって正しく受信される時に早く終了する。
【００９２】
データキャリア１００がノードおよびデータ送信機基地局であるいくつかの実施の形態が説明されたけれども、本発明はそのような実施の形態に基づかないことに注意するべきである。むしろ、データ送信機１００は、基地局およびデータ受信機ノードでもある。
【００９３】
図７は、少なくとも１つのデータパケットによってデータ送信機により通信チャンネルを介して送信されるペイロードデータを受信するための方法のフローチャート３００を示す。方法３００は、
少なくとも１つのデータパケットを受信するステップ３０２と（ここで、少なくとも１つのデータパケットは、チャンネルコード化されたペイロードデータおよび少なくとも１つのインジケータを含む）、
受信した少なくとも１つのデータパケットに対して、受信したデータを提供するステップ３０４と（ここで、受信データは、受信したチャンネルコード化されたペイロードデータおよび受信した少なくとも１つのインジケータを含む）、
受信データから、受信したチャンネルコード化されたペイロードデータおよび受信した少なくとも１つのインジケータを決定するステップ３０６と、
受信した少なくとも１つのデータパケットの受信した少なくとも１つのインジケータを、受信した少なくとも１つのインジケータと少なくとも１つの基準インジケータとの間の比較に基づいて、受信した少なくとも１つのデータパケットの受信したチャンネルコード化されたペイロードデータの少なくとも１つの干渉度合いを決定するように、データ送信機とデータ受信機に既知の少なくとも１つの基準インジケータと比較するステップ３０８と、
決定された少なくとも１つの干渉度合いに基づいて、復号化のために、受信した少なくとも１つのデータパケットの受信したチャンネルコード化されたペイロードデータの重み付けをするステップ３１０と、
ペイロードデータを得るために、受信したチャンネルコード化されたペイロードデータの重み付けに依存するチャンネル復号化を実行するステップ３１２と、を含む。
【００９４】
以下において、本発明の別の実施の形態が説明される。
【００９５】
それぞれ安価で効果的なチップを提供される受信機において、個々のデータパケット（ホップ）の受信シンボルの品質の評価は、ラジオチップの出力データから直接読み取ることができない。しかし、多くのシステムの性能に対して、この品質評価は必須構成要素である。従って、多くのエラー訂正機構（例えば、コンボリューション復号機）の性能は、受信されたシンボルの品質についての情報が存在する時、または、シンボルが完全に知られていないと仮定される時、または、品質閾値が達していない時には、十分により良い。
【００９６】
エネルギー消費に関して、品質評価を除いて、受信機がアクティブ受信モードにある時間も、最小化されるべきである。
【００９７】
簡素な費用効果が高いハードウェアでさえこれらの２つの基準を満たすために、パケット分割方法に基づいた短いパケット持つ送信方法（電信分割、独国特許ＤＥ  １０  ２０１１  ０８２  ０９８  Ｂ４参照）が使われる。それは、範囲を増大させるために低いデータ転送速度をさらに使うことができる。どのような同期および前文シンボルでも省略することによって、受信機のアクティブ受信時間は短縮される。性能を改善するために、追加のシンボル（インジケータ）が、個々のデータパケット（ホップ）または部分的データパケット（部分的ホップ）のシンボルのための品質評価を可能にするためにほとんど挿入されない。
【００９８】
短いパケット長さが、多くのオーバーヘッド無しで、個々のノードに対して、制限されたチャンネル使用期間を維持し、個々の受信ノードでのエネルギー消費も最小化するので、このシステムは、多くのノードに小さい情報を分配するため、特に興味深い。さらに、使用可能な品質判定によって、費用効果が高いラジオチップへの均一な送信は、干渉を起こす他のシステムと共に周波数帯域の中で使われるために必要な頑丈さを得る。
【００９９】
ことによると、ノードは、同期情報として、挿入された既知の追加のシンボルも使うことができ、それゆえ、（例えば周波数オフセットのコヒーレンスの復調または評価によって、）より良い受信を可能にする。
【０１００】
以下において、本発明の別の実施の形態が説明される。
【０１０１】
実施の形態において、基地局は、電信分割方法によって、チャンネルコード化されたメッセージをノードに送信することができる。ここでは、インジケータは、データパケット（ホップ）の中でほとんど分配されない。インジケータの分配および長さは、品質評価のための予期される干渉シナリオおよび要件に適応される。オプションで、更に（追加して）インジケータは、検出と周波数評価を可能にするために挿入される。オプションで、送信する周波数も、（例えばクウォーツの不正確によって）受信機の計画された周波数からの可能な逸脱を補償するために適応される。
【０１０２】
実施の形態において、受信機は、データパケット１０４またはインジケータが到着する正確な時間を知る。その結果、受信機は、この時に受信チップのスイッチを入れることができる。例えば、受信時間は、絶対時間（ＧＰＳ）に基づいて、外部イベントまたはイベントとは異なる既知の時間によって決定される。
【０１０３】
実施の形態において、データパケット（ホップ）を受信した後、データパケット（ホップ）またはデータパケット（ホップ）の部分が壊れるか否かが、インジケータシンボルに基づいて決められる。仮に全てのインジケータが、予め決められたインジケータパターンに対応し、メートル法に従って正しく受信されたならば、全体のデータパケット（ホップ）の情報は、壊れないと宣言される。仮にインジケータが、予期されたシンボルに部分的に対応しないならば、壊れたインジケータと次のインジケータの間の情報部分は、壊れたと宣言される。
【０１０４】
実施の形態において、データパケット（ホップ）が壊れないときには、データパケットの情報は使われる。しかし、仮にデータパケットが壊れるならば、その情報は捨てられるか、または低い重み付けで更に使われる。仮に非常に多くの壊れたデータパケット（ホップ）または部分的データパケット（部分的ホップ）が、メッセージの受信の間に、発生するならば、その結果、エラーがない受信の見込みは既に閾値を下回り、別のデータパケット（ホップ）の受信が、エネルギー節減のために終了される。
【０１０５】
実施の形態において、少なくとも１つのインジケータは、既に決められたシンボル、すなわち同期とチャンネル評価とが、既に起こなわれている、または、必要とされていないのいずれかであるシンボルに作用する。インジケータの使用が、決められたシンボルについての品質情報を提供できない簡素な受信機が使われる場合に対して、第一に意図される。
【０１０６】
実施の形態において、データ受信機は、ユーザーに対して既に同期をしている受信機ＩＣ（ラジオチップ）を含み、同期と前文シンボルは、ペイロードデータだけが出力されるので、ユーザーに利用できない。
【０１０７】
実施の形態において、インジケータは、周波数またはチャンネル評価に影響するためのオプションをユーザーに一切提供しない、共通のラジオ受信機ＩＣ（ラジオチップ）において使われる。そして、インジケータのエラーから、隣接したシンボルのための正しい重み付け機能が見つけられる。それは、チャンネルコード化されたデータの復号化を改善する。
【０１０８】
実施の形態において、データ受信機は、出力で既に決められたビットを提供する標準のラジオチップを持つことができる。ここで、チャンネル復号化の性能は、ソフト決定受信機（前エラー訂正を考慮し、少しの難しい決められたビットも提供しないデコーダ）よりも悪い。インジケータを介した干渉検出で、チャンネル復号化の性能が改善される。
【０１０９】
別の実施の形態は、基地局からのデータを、例えばアクチュエーターまたはセンサーの個々のパラメータを個々のまたは多くの簡素なノードに適応するための制御データを送信するためのシステムに関する。コストとエネルギー消費考慮のため、ラジオ分析のオプションだけでなく計算パワーのみが、受信機の制限された範囲に可能である。対照的に、強力なハードウェアが、送信周波数および送信時間の正確な調整を許す基地局で利用可能である。
【０１１０】
別の実施の形態は、アプリケーションの他の分野にも転送できる無線送信方法に関連する。
【０１１１】
いくつかの面が装置の文脈において説明されたけれども、これらの面が、装置のブロックまたは機器も、個々の方法ステップまたは方法ステップの機能に一致するように、対応する方法の説明も表現することは明らかである。同様に、方法ステップの文脈において説明された面も、対応する装置の対応するブロックまたは詳細または機能の説明を表現する。方法ステップのうちのいくつかまたは全てが、マイクロプロセッサーまたはプログラム化可能なコンピュータまたは電子回路などのハードウェア装置によって（または、ハードウェア装置を使って）実行される。いくつかの実施の形態において、最も重要な方法ステップのいくつかが、そのような装置により実行される。
【０１１２】
特定の実現要求に依存することによって、発明の実施の形態は、ハードウェアまたはソフトウェアにおいて実現される。実現は、デジタル記憶媒体、例えば、フロッピーディスクま、ＤＶＤ、ブルーレイディスク、ＣＤ、ＲＯＭ、ＰＲＯＭ、ＥＰＲＯＭ、ＥＥＰＲＯＭ、フラッシュメモリ、ハードディスク、または、その上に記憶された電子的に読み取り可能な制御信号を持つ別の磁気式または光学式のメモリを使って実行される。それらは、それぞれの方法が実行されるように、プログラム可能なコンピュータシステムと協力する、または、協力することができる。従って、デジタル記憶媒体は、コンピュータが読み取り可能である。
【０１１３】
発明に従ういくつかの実施の形態は、ここに、説明された方法のうちの１つが実行されるように、プログラム可能なコンピュータシステムと協力することができる、電子的に読み取り可能な制御信号から成るデータキャリアを含む。
【０１１４】
一般に、本発明の実施の形態は、プログラムコードを持つコンピュータプログラム製品として実行される。プログラムコードは、コンピュータプログラム製品がコンピュータ上で稼働するとき、方法のうちの１つを実行するように働く。
【０１１５】
例えば、プログラムコードは、機械読み取り可能キャリアに記憶される。
【０１１６】
他の実施の形態は、ここに説明された方法のうちの１つを実行するためのコンピュータプログラムから成る。コンピュータプログラムは、機械読み取り可能キャリアに記憶される。
【０１１７】
すなわち、本発明の方法の実施の形態は、コンピュータプログラムがコンピュータ上を稼働するとき、ここに説明された方法のうちの１つを実行するためのプログラムコードから成るコンピュータプログラムである。
【０１１８】
従って、本発明の方法の別の実施の形態は、データキャリア（または、デジタル記憶媒体またはコンピュータ読み取り可能媒体）が、その上に記録された、ここに説明された方法のうちの１つを実行するためのコンピュータプログラムから成る。
【０１１９】
従って、本発明の方法の別の実施の形態は、ここに説明された方法のうちの１つを実行するためのコンピュータプログラムを表現する信号のデータストリームまたはシーケンスである。信号のデータストリームまたはシーケンスは、例えば、データ通信接続を介して（インターネットを介して）、送信されるように構成される。
【０１２０】
別の実施の形態は、処理手段、例えばコンピュータ、または、ここに説明された方法のうちの１つを実行するように構成された、または適応したプログラム可能な論理デバイスから成る。
【０１２１】
別の実施の形態は、ここに説明された方法のうちの１つを実行するためのコンピュータプログラムをその上にインストールされたコンピュータから成る。
【０１２２】
発明に従う別の実施の形態は、ここに説明された方法のうちの少なくとも１つを実行するためのコンピュータプログラムを、受信機に送信するように構成された装置またはシステムを含む。送信は例えば電子式または光学式である。例えば、受信機は、コンピュータ、モバイル機器、メモリ素子、または同様な機器である。例えば、装置またはシステムは、コンピュータプログラムを受信機に送信するためのファイルサーバーを含む。
【０１２３】
いくつかの実施の形態において、プログラム可能な論理デバイス（例えば、フィールドプログラマブルゲートアレイ、ＦＰＧＡ）は、ここに説明された方法の機能のうちのいくつかまたは全てを実行するために使用される。いくつかの実施の形態において、フィールドプログラマブルゲートアレイは、ここに説明された方法のうちの１つを実行するために、マイクロプロセッサーと協働する。一般に、方法は、好ましくは、どのようなハードウェア装置によっても実行される。これは、コンピュータプロセッサ（ＣＰＵ）などの一般的に適用可能なハードウェアやＡＳＩＣなどの方法のために特定のハードウェアである。
【０１２４】
上述の実施の形態は、単に、本発明の原則を説明しただけである。ここに、説明された配置と詳細の部分修正とバリエーションが、当業者に明白であることは理解される。従って、発明が、ここの実施の形態の記述と説明によって示された特定の詳細ではなく、付加された特許の請求項の範囲だけに制限されることが意思である。
【図１】
0006586222.tif 000002
【図２】
0006586222.tif 000003
【図３ａ】
0006586222.tif 000004
【図３ｂ】
0006586222.tif 000005
【図３ｃ】
0006586222.tif 000006
【図４】
0006586222.tif 000007
【図５】
0006586222.tif 000008
【図６】
0006586222.tif 000009
【図７】
0006586222.tif 000010